(57)【要約】【課題】ブラシ単体の形状等の仕様変更時においても、軸体を新作あるいは修正することが無いと共に、交換が迅速かつ容易になる洗車機用洗浄ブラシ、及びその洗車機用洗浄ブラシを搭載した洗車機を提供する。【解決手段】自動車洗浄用あるいは車両洗浄用の洗車機用洗浄ブラシにおいて、前記洗車機用洗浄ブラシは、ブラシ片、及び軸体を有すると共に、前記ブラシ片と前記軸体の間に継ぎ手が形成されてあるものである。【選択図】図１
2007289612.tif 000002
【特許請求の範囲】
【請求項１】
自動車洗浄用あるいは車両洗浄用の洗車機用洗浄ブラシにおいて、前記洗車機用洗浄ブラシは、ブラシ片、及び軸体を有すると共に、前記ブラシ片と前記軸体の間に継ぎ手が形成されてあることを特徴とする洗車機用洗浄ブラシ。
【請求項２】
請求項１記載の構成よりなる洗車機用洗浄ブラシにおいて、前記継ぎ手に透かし部が形成されてあることを特徴とする洗車機用洗浄ブラシ。
【請求項３】
請求項１から２記載の構成よりなる洗車機用洗浄ブラシにおいて、前記継ぎ手は、合成樹脂にて成形されてあることを特徴とする洗車機用洗浄ブラシ。
【請求項４】
請求項１から３記載の構成よりなる洗車機用洗浄ブラシにおいて、前記継ぎ手の一側面に継ぎ手間を結合させる連結体Ａが形成されてあると共に、前記連結体Ａに対応する位置に連結体Ｂが形成されてあることを特徴とする洗車機用洗浄ブラシ。
【請求項５】
請求項１から４記載の構成よりなる洗車機用洗浄ブラシにおいて、前記ブラシ片が前記軸体の長手方向の軸の周りに螺旋状に形成されてあることを特徴とする洗車機用洗浄ブラシ。
【請求項６】
駆動源と、被洗浄面に散布する洗浄剤及び水を噴出させるノズルと、洗浄後の被洗浄面を乾燥させる乾燥手段を備えると共に、請求項１から５のいずれか１項に記載の洗車機用洗浄ブラシを搭載したことを特徴とする洗車機。
【発明の詳細な説明】
【技術分野】
【０００１】  本発明は、自動車あるいは車両の外面の被洗浄面に付着した汚れ等を洗浄する為の洗車機に使用する洗車機用洗浄ブラシ、及びその洗車機用洗浄ブラシを搭載した洗車機に関するものである。
【背景技術】
【０００２】  自動車あるいは車両の外面の被洗浄面に付着した汚れ等を洗浄する為の洗車機に使用する洗車機用洗浄ブラシ、及びその洗車機用洗浄ブラシを搭載した洗車機に関しては、使用目的に応じて、さまざまな改良がなされ、例えば、回転軸の外周の周方向複数位置のそれぞれにブラシ単体を取付けてなる洗車ブラシでブラシ単体を回転軸の外周のスパイラル線に沿って取付けた洗車ブラシが、特開２００５−１７０２２１号公報に開示されてある。【０００３】
【特許文献１】  特開２００５−１７０２２１号公報
【発明の開示】
【発明が解決しようとする課題】
【０００４】  従来の洗車機用洗浄ブラシ、及びその洗車機用洗浄ブラシを搭載した洗車機は、例えば、上記の如くの特徴を有する技術が開示されてあるが、特開２００５−１７０２２１号公報に開示されてある技術においては、回転軸の取付け溝にブラシ単体が挿入困難あるいは容易に脱落するような仕様変更等が発生した場合には、取付け溝部を有する回転軸を別途製作する必要があると共に、別途金型が必要になるという課題を有していた。【０００５】  また、押込み具にてブラシ単体を、溝部に装着する構造の為、ブラシ単体の交換時には、容易に着脱することが困難であるという課題を有していた。【０００６】  本発明は、上記のような課題を解決する為になされたもので、ブラシ単体の形状等の仕様変更時においても、軸体を新作あるいは修正することが無いと共に、交換が迅速かつ容易になる洗車機用洗浄ブラシ、及びその洗車機用洗浄ブラシを搭載した洗車機を提供することを目的としている。
【課題を解決するための手段】
【０００７】  本発明は、上記のような課題を解決する為になされたもので、洗車機用洗浄ブラシは、前記ブラシ片と前記軸体の間に継ぎ手が形成されてある為、ブラシ片の形状等の仕様変更時においても、軸体を新作あるいは修正すること無く使用することができると共に、ブラシ片の交換が迅速かつ容易にできる。【０００８】  また、本発明の洗車機は、駆動源と、被洗浄面に散布する洗浄剤及び水を噴出させるノズルと、洗浄後の被洗浄面を乾燥させる乾燥手段を備えると共に、請求項６記載の洗車機用洗浄ブラシを搭載したもので、前記洗車機用洗浄ブラシは、ブラシ片の形状等の仕様変更時においても、軸体を新作あるいは修正すること無く使用することができると共に、ブラシ片の交換が迅速かつ容易にできる為、軸体の交換が必要無いと共に、ブラシ片の仕様変更が迅速かつ容易に耐用できる。
【発明の効果】
【０００９】  本発明の洗車機用洗浄ブラシは、ブラシ片と軸体の間に継ぎ手が形成されてある為、ブラシ片の形状等の仕様変更時においても、軸体を、新作あるいは修正すること無く使用することが出来ると共に、ブラシ片の交換が迅速かつ容易にできる洗車機用洗浄ブラシである。
【発明を実施するための最良の形態】
【００１０】  第１の発明は、自動車洗浄用あるいは車両洗浄用の洗車機用洗浄ブラシにおいて前記洗車機用洗浄ブラシは、ブラシ片、及び軸体を有すると共に、前記ブラシ片と前記軸体の間に継ぎ手が形成されてある為、ブラシ片の形状等の仕様変更時においても、軸体を、新作あるいは修正すること無く使用することが出来ると共に、ブラシ片の交換が迅速かつ容易にできる。その為、軸体を新作、及び変更する必要が削減できると共に、ブラシ製作コストが安価にできる。【００１１】  第２の発明は、前記継ぎ手において、前記継ぎ手に透かし部が形成されてある為、透かし部が形成されていない継ぎ手に比べ、軽量化、及び洗浄ブラシ回転時の空気抵抗を削減できる。また、洗浄水等が透かし部を通ることができる為、洗浄ブラシ回転時の回転負荷を軽減でき低付加で洗浄ブラシを回転できる。【００１２】  第３の発明は、前記第１から第２記載の構成よりなる継ぎ手において、前記継ぎ手の材質に合成樹脂を使用することで、金属等の材質に比べ、形成しやすく、軽量化ができる。また、合成樹脂は一体成形が可能の為、製造が容易に迅速かつ安価にできる。【００１３】  第４の発明は、前記第１から第３記載の構成よりなる前記継ぎ手の一側面に継ぎ手間を結合させる連結体Ａが形成されてあると共に、前記連結体Ａに対応する位置に連結体Ｂが形成されてあり、お互いの継ぎ手を連結体で結合できる為、継ぎ手の曲げ強度、及び捩れ強度を保持することができる。その為、劣悪な使用条件の場合においても破損、脱落することが無い。また、お互いの継ぎ手の位置ズレ防止になる。【００１４】  第５の発明は、前記第１から第４記載の構成よりなる前記ブラシ片が前記軸体の長手方向の軸体の周りに螺旋状に形成されてあり、継ぎ手の溝部を螺旋状に形成できる為、軸体にブラシ片の取付け部を螺旋状に形成したものに比べて、ブラシ片を容易に軸体の長手方向に対して螺旋状に形成できる。【００１５】  第６の発明は、前記洗車機に、第１から第５の発明の洗車機用洗浄ブラシとしたものである為、軸体を新作あるいは修正すること無く使用することが出来ると共に、ブラシ片の交換が迅速かつ容易にできる為、軸体の交換が必要無いと共に、ブラシ片の仕様変更が迅速かつ容易に耐用できる。その為、洗車機種を問わず各種仕様の洗浄ブラシを取付けることができると共に、ブラシ片の仕様変更が可能になる。【００１６】  以下、本発明の実施の形態について図面を参照しながら説明する。なお、この実施の形態により本発明が限定されるものではない。
【実施例１】
【００１７】  図１から図３にて実施例１を示す。図１は、本発明の洗車機用洗浄ブラシの前面側から見た正面図、図２（Ａ）は、洗車機用洗浄ブラシの断面図、（Ｂ）は、（Ａ）の右側面図、図３（Ａ）は、継ぎ手の断面図、（Ｂ）は、（Ａ）の継ぎ手の上面図である。【００１８】  図１の如く、洗車機用洗浄ブラシ１は、ブラシ片３、及び軸体２を有すると共に、前記ブラシ片３と前記軸体２の間に継ぎ手４が形成されてあり、軸体２は、概円柱状に形成されてあると共に、溝部５が軸体２の外周の長手方向の軸の周りに螺旋状に形成されてある。また、継ぎ手４は、軸体２に形成された溝部５に挿入されてあると共に、軸体２の外周の長手方向の軸の周りに螺旋状に形成されてあり、前記軸体２の両端部より止め具６にてはめ込まれて固定されてある。また、軸体２は、両端中心部にネジ加工がされてあり、止め具６に対して六角穴付ボルトで固定される。前記継ぎ手４は一側面に継ぎ手間を結合させる連結体Ａ７が形成されてあると共に、前記連結体Ａ７に対応する位置に連結体Ｂ８が形成されてある。【００１９】  図２（Ａ）（Ｂ）及び図３の如く、洗車機用洗浄ブラシ１のブラシ片３は、チャンネルブラシ７２にて形成されてあり、チャンネルブラシ７２は、ブラシ片３、芯線５２、及び帯状体６２より形成されてあり、帯状体６２は、断面が概コの字形状に形成されてあると共に、ブラシ片３が、芯線５２、及び帯状体６２にて、挟み込まれて形成されてある。【００２０】  また、継ぎ手４は、軸体２の溝部５に差込まれて形成されてあり、軸体２の外周の長手方向の軸の周りに螺旋状に形成されてある。また、ブラシ片３を差込む為の溝部５５が形成されてあると共に、継ぎ手４は、透かし部９が形成されてあり、透かし部９は貫通穴にて形成されてある。また、継ぎ手４は、一側面に継ぎ手間を結合させる連結体Ａ７が形成されてあると共に、前記連結体Ａ７に対応する位置に連結体Ｂ８が形成されてあり、前記連結体Ａ７には結合させる為の突片１７が形成されてあり、連結体Ｂ８には突部１７を結合させる穴部１８が形成されてある。【００２１】  実施例１は上記の如くになっているが、軸体の溝部を外周の長手方向の軸の周りにストレートに形成させると共に、軸体の溝に挿入する継ぎ手の差込部を継ぎ手の長手方向に対してストレートに形成させ、ブラシ片を挿入する継ぎ手の溝を、継ぎ手の長手方向に対して螺旋状に形成する形態も採用できる。前記形態を採用した場合においては、軸体、継ぎ手、ブラシ片が組立てられた洗浄ブラシは、軸体の溝は、長手方向の軸の周りにストレートであり、かつ、ブラシ片は、長手方向の軸の周りに螺旋状に形成される。【００２２】  上記の如く、軸体２は、中実丸棒構造以外にも、中空丸棒、角柱及び、角筒構造等を広く採用できる。【００２３】  次に、洗車機用洗浄ブラシ１の製造手順について説明する。最初にブラシ片３を、芯線５２、及び帯状態６２にて、挟み込まれてチャンネルブラシ７２を形成する。次に、ブラシ片３は、継ぎ手４に対し溝部５５にチャンネルブラシ７２を差込むことによって装着される。次に、継ぎ手４は軸体２に対し溝部５に差込み形成されると共に、継ぎ手間を連結体Ａ７と連結体Ｂ８にて結合し軸体２の両端部より止���具６にて固定される。以上の手順により洗車機用洗浄ブラシ１が製作される。【００２４】  実施例１の洗車機用洗浄ブラシ１は上記の構成となっているので、ブラシ片３と軸体２の間に継ぎ手４が形成されてある為、継ぎ手４を軸体２の溝部５に挿入する構造の為、ブラシ片３の仕様が変更になった場合においても、軸体２を新作、あるいは、修正する事無く使用できる。また、ブラシ片３の挿入時には、継ぎ手４を軸体２から外した後、交換作業ができる。その為、軸体２を新作する必要が削減できる為、ブラシ製作コストが安価にできる。【００２５】  また、継ぎ手４に透かし部９が形成されてある為、透がし部９が形成されていない継ぎ手４に比べ、軽量化、及び洗浄ブラシ回転時の空気抵抗を削減できる。また、洗浄水等が透かし部９を通ることができる為、洗浄ブラシ回転時の回転負荷を軽減でき低付加で洗浄ブラシを回転できる。また、継ぎ手４の一側面に継ぎ手間を結合させる連結体Ａ７が形成されてあると共に、前記連結体Ａ７に対応する位置に連結体Ｂ８が形成されてあり、連結体Ａ７の突片１７と連結体Ｂ８の穴部１８にて継ぎ手間を連結体で結合できる為、継ぎ手４の曲げ強度、及び捩れ強度を保持することができる為、劣悪な使用条件の場合においても破損、脱落することが無いと共に、お互いの継ぎ手４の位置ズレ防止ができる。【００２６】  また、継ぎ手４は、合成樹脂にて一体成型されてある。材質は、ＡＢＳ樹脂が使用されてある。その他にも材質として、ポリプロピレン樹脂、ポリエチレン樹脂、塩化ビニール樹脂、ポリアミド樹脂及び、ポリスチレン樹脂が使用できる。【００２７】  継ぎ手４は、前記の如くの合成樹脂が使用されてある為、金属等の材質に比べ、加工しやすく、軽量化ができる。また、継ぎ手４の溝部５５を螺旋状に形成されてある為、ブラシ片３が軸体２の長手方向の軸体２の周りに螺旋状に形成される。その為、ブラシ片３の取付け部を軸体２に螺旋状に形成したものに比べて、ブラシ片３を容易に軸体２の長手方向の軸体の周りに螺旋状に形成できる。
【実施例２】
【００２８】  図４にて実施例２を示す。図４（Ａ）は、本発明の他の実施の形態の断面図、（Ｂ）は、（Ａ）の正面図である。【００２９】  図４（Ａ）の如く、洗車機用洗浄ブラシ１１は、継ぎ手１４は、軸体１２に螺旋状に形成された溝部１５に差込まれて形成されてあり、ブラシ片１３はリベット等の固定部材１９にて継ぎ手１４に形成されてあると共に、図４（Ｂ）の如く、洗車機用洗浄ブラシ１１は、ブラシ片１３の複数箇所の合わせ部２９が、洗車機用洗浄ブラシ１１の回転方向にて同じ軌跡を通らないよう、千鳥に形成されてある。【００３０】  図４において、洗車機用洗浄ブラシ１１は、上記の構成となっているので、継ぎ手１４にブラシ片１３を、リベット等の固定部材１９にて挟み付けられて形成されてある。その為、リベット等の固定部材１９にて形成されていない場合と比べて、位置ズレ、脱落が無いと共に、ブラシ片１３の合わせ部２９を千鳥になるよう固定することができる為、洗い残しの無い洗車機用洗浄ブラシ１１を製作できる。
【実施例３】
【００３１】  図５にて実施例３を示す。図５（Ａ）は、本発明の他の実施の形態の断面図、（Ｂ）は、（Ａ）の右側面図である。【００３２】  図５の如く、洗車機用洗浄ブラシ２１は、継ぎ手２４が、一側面に継ぎ手間を結合させる連結体Ａ５７が形成されてあると共に、前記連結体Ａ５７に対応する位置に連結体Ｂ５８が形成されてあると共に、前記連結体Ａ５７には結合させる為の凹部３９が形成されてあり、連結体Ｂ５８には凹部３９を結合させる凸部４９が形成されてある。【００３３】  図５において、洗車機用洗浄ブラシ２１は、上記の構成となっているので、継ぎ手２４の連結体Ａ５７と連結体Ｂ５８は、軸体２の長手方向に対して段差無く、形成されてある為、となり合う継ぎ手を順次、溝部５２に挿入するのみで、容易に組付けできる。
【実施例４】
【００３４】  図６にて実施例４を示す。図６は、本発明の洗車機用洗浄ブラシを搭載した洗車機である。【００３５】  図６の如く、洗車機９１は、本発明の実施例に記載の構成の洗車機用洗浄ブラシ８０が搭載されてあり、洗車機用洗浄ブラシ８０は駆動減９２により回転される。ノズル９３からは、被洗浄面にたいして、洗浄剤、及び水が散布され、洗車機用洗浄ブラシ８０により洗浄され、洗浄後は、乾燥機９４等の乾燥手段により被洗浄面が乾燥される。【００３６】  実施例４の洗車機９１は、上記の如くの構成となっているので、駆動源９２と、被洗浄面に散布する洗浄剤、及び水を噴出させるノズル９３と、洗浄後の被洗浄面を乾燥させる乾燥機９４等の乾燥手段を備えると共に、上記実施例１、実施例２及び、実施例３のいずれかに記載の洗車機用洗浄ブラシ８０が搭載されてある為、洗車機用洗浄ブラシ８０は、継ぎ手を交換するのみにて、洗車機用洗浄ブラシ８０の仕様変更ができる為、交換作業の時間を短縮でき、稼働率の高い洗車機を提供できる。また、洗車機用洗浄ブラシ８０は、連結部が形成されて有るので、洗車機用洗浄ブラシ８０の回転時の芯ブレ等を抑制できる為、洗車機用洗浄ブラシ８０の高速回転時でも洗車機９１は、高い洗浄性及び、高い耐久性を有することができる。
【産業上の利用可能性】
【００３７】  本発明の洗車機用洗浄ブラシ及び洗車機は、主に、自動車あるいは車両の外面の被洗浄面に付着した汚れ等を洗浄する為の洗車機、及び洗車機に搭載されてある洗車機用洗浄ブラシ、及び洗車機用洗浄ブラシとして使用する。
【図面の簡単な説明】
【００３８】
【図１】  本発明の洗車機用洗浄ブラシの正面図
【図２】  （Ａ）図１の洗車機用洗浄ブラシの断面図（Ｂ）（Ａ）の右側面図
【図３】  （Ａ）図１の継ぎ手の断面図（Ｂ）（Ａ）の上面図
【図４】  （Ａ）本発明の他の実施の形態の断面図（Ｂ）（Ａ）の正面図
【図５】  （Ａ）本発明の他の実施の形態の断面図（Ｂ）（Ａ）の右側面図
【図６】  本発明の洗車機用洗浄ブラシを搭載した洗車機の正面図
【符号の説明】
【００３９】  １、１１、２１、８０  洗車機用洗浄ブラシ
２、１２  軸体
３、１３  ブラシ片
４、１４、２４  継ぎ手
５、１５、５５  溝部
６  止め具
７、２７、５７  連結体Ａ
８、２８、５８  連結体Ｂ
９  透かし部
１９  固定部材
２９  合わせ部
３９  凹部
４９  凸部
１７  突部
１８  穴部
５２  芯線
６２  帯状体
７２  チャンネルブラシ
９１  洗車機
９２  駆動源
９３  ノズル
９４  乾燥機
【図１】
2007289612.tif 000003
【図２】
2007289612.tif 000004
【図３】
2007289612.tif 000005
【図４】
2007289612.tif 000006
【図５】
2007289612.tif 000007
【図６】
2007289612.tif 000008